(57)【要約】【課題】内視鏡のレンズの曇り、レンズへの血液等の付着を、より簡素な構成で抑制できる防汚膜を提供すること。【解決手段】防汚膜２０は、レンズ１２の表面に装着され、複数のナノファイバーが絡み合った網目構造体と、前記網目構造体に含侵された油と、を備える。【選択図】図２
2020141810.tif 000002
【特許請求の範囲】
【請求項１】
レンズの表面に装着される防汚膜であって、
複数のナノファイバーが絡み合った網目構造体と、
前記網目構造体に含侵された油と、
を備える防汚膜。
【請求項２】
請求項１に記載の防汚膜であって、
前記ナノファイバーは、親油性の材料により形成される防汚膜。
【請求項３】
請求項１又は２に記載の防汚膜であって、
前記網目構造体に含侵される前記油は、脂肪性の物質よりも表面張力が低い防汚膜。
【請求項４】
請求項１から３までのいずれか１項に記載の防汚膜であって、
前記ナノファイバーは、含侵される前記油を留める保持部を有する防汚膜。
【請求項５】
請求項４に記載の防汚膜であって、
前記保持部は、前記ナノファイバーの表面から突出した複数の凸状部を有する防汚膜。
【請求項６】
請求項１から５までのいずれか１項に記載の防汚膜がレンズの表面に装着された内視鏡。
【請求項７】
請求項６に記載の内視鏡であって、
前記レンズの外周を囲むように筒状に形成され、筒状の先端部が、前記レンズの表面に装着された前記防汚膜よりも被写体側に突出する位置に装着されることにより、前記防汚膜と被写体との接触を抑制する保護キャップを備える内視鏡。
【請求項８】
請求項７に記載の内視鏡であって、
前記保護キャップには、長手方向の略中間部に他の部分よりも厚みの薄い折り返し部が周方向に沿って設けられている内視鏡。
【請求項９】
請求項７又は８に記載の内視鏡であって、
前記保護キャップには、長手方向の略中間部から前記内視鏡のレンズ側の先端までの間に被拡張部が設けられている内視鏡。
【請求項１０】
請求項９に記載の内視鏡であって、
前記被拡張部は、前記保護キャップの厚み方向に貫通したスリットである内視鏡。
【請求項１１】
請求項１から５までのいずれか１項に記載の防汚膜が多面付けされている防汚膜の多面付け体であって、
前記レンズの外形よりも大きな穴が複数設けられた基材と、
前記基材の一方の面に前記穴を覆うようにして形成され、複数のナノファイバーが絡み合った網目構造シートと、
前記網目構造シートの少なくとも前記穴に対応する部位に含侵される油と、
を備える防汚膜の多面付け体。
【請求項１２】
油が含侵される防汚膜用の網目構造体であって、
親油性の複数のナノファイバーが絡み合ったウェブ状に形成され、
前記ナノファイバーは、含侵される前記油を留める保持部を有する網目構造体。
【請求項１３】
請求項１２に記載の網目構造体であって、
前記保持部は、前記ナノファイバーの表面から突出した複数の凸部を有する網目構造体。
【請求項１４】
請求項１２又は１３に記載の網目構造体が多面付けされた網目構造体の多面付け体であって、
前記網目構造体の外形と同じ大きさの穴が複数設けられた基材と、
前記基材の一方の面に前記穴を覆うように形成され、複数のナノファイバーが絡み合った網目構造シートと、
を備える網目構造体の多面付け体。
【発明の詳細な説明】
【技術分野】
【０００１】
本発明は、防汚膜、内視鏡、防汚膜の多面付け体、網目構造体及び網目構造体の多面付け体に関する。
【背景技術】
【０００２】
近年、医療現場では、ほとんどの外科系の科において内視鏡を用いた手術が行われている。内視鏡を用いた手術において、体内の水蒸気により内視鏡のレンズが曇ったり、血液等がレンズに付着したりすると、術野が見えにくくなる。そのため、内視鏡を体内から取り出して洗浄し、再び体内に挿入するという作業が繰り返し行われている。内視鏡の取り出しや再挿入が繰り返し行われると、手術時間が長くなり、患者への負担が大きくなる。この問題を解決するため、内視鏡のレンズの先端を体内で洗浄する洗浄装置が提案されている（例えば、特許文献１〜３参照）。
【先行技術文献】
【特許文献】
【０００３】
【特許文献１】特開２０１１−２４５００４号公報
【特許文献２】特開平１１−２１６１１６号公報
【特許文献３】特開平５−２０７９６３号公報
【発明の概要】
【発明が解決しようとする課題】
【０００４】
従来、内視鏡のレンズの曇り、レンズへの血液等の付着を、より簡素な構成で抑制できるようにすることが求められている。
【０００５】
本発明の目的は、内視鏡のレンズの曇り、レンズへの血液等の付着を、より簡素な構成で抑制できる防汚膜、内視鏡、防汚膜の多面付け体、網目構造体及び網目構造体の多面付け体を提供することにある。
【課題を解決するための手段】
【０００６】
本開示の一態様は、レンズの表面に装着される防汚膜であって、複数のナノファイバーが絡み合った網目構造体と、前記網目構造体に含侵された油と、を備える防汚膜である。
本開示の他の一態様は、上記防汚膜がレンズの表面に装着された内視鏡である。
本開示の他の一態様は、上記防汚膜が多面付けされている防汚膜の多面付け体であって、前記レンズの外形よりも大きな穴が複数設けられた基材と、前記基材の一方の面に前記穴を覆うようにして形成され、複数のナノファイバーが絡み合った網目構造シートと、前記網目構造シートの少なくとも前記穴に対応する部位に含侵される油と、を備える防汚膜の多面付け体である。
本開示の他の一態様は、油が含侵される防汚膜用の網目構造体であって、親油性の複数のナノファイバーが絡み合ったウェブ状に形成され、前記ナノファイバーは、含侵される前記油を留める保持部を有する網目構造体である。
本開示の他の一態様は、上記網目構造体が多面付けされた網目構造体の多面付け体であって、前記網目構造体の外形と同じ大きさの穴が複数設けられた基材と、前記基材の一方の面に前記穴を覆うように形成され、複数のナノファイバーが絡み合った網目構造シートと、を備える網目構造体の多面付け体である。
【発明の効果】
【０００７】
本発明によれば、内視鏡のレンズの曇り、レンズへの血液等の付着を、より簡素な構成で抑制できる防汚膜、内視鏡、防汚膜の多面付け体、網目構造体及び網目構造体の多面付け体を提供できる。
【図面の簡単な説明】
【０００８】
【図１】内視鏡１の外観を示す斜視図である。
【図２】内視鏡１の分解斜視図である。
【図３】（Ａ）は、網目構造体の多面付け体ＭＳを示す平面図である。（Ｂ）は、図３（Ａ）のａ−ａ線断面図である。
【図４】網目構造体の多面付け体ＭＳの製造方法を説明する図である。
【図５】（Ａ）は、油Ｌが含侵される前のナノファイバーＦの表面を模式的に示した断面図である。（Ｂ）は、油Ｌが含侵されたナノファイバーＦの表面を模式的に示した断面図である。
【図６】（Ａ）は、防汚膜の多面付け体ＭＦを示す平面図である。（Ｂ）は、図６（Ａ）のｂ−ｂ線断面図である。
【図７】（Ａ）は、保護キャップ３０の外観を示す斜視図である。（Ｂ）は、保護キャップ３０の側面図である。（Ｃ）は、（Ｂ）のｃ−ｃ線断面図である。
【図８】（Ａ）〜（Ｃ）は、保護キャップ３０を内視鏡本体１０に装着する手順を説明する図である。
【図９】（Ａ）〜（Ｃ）は、保護キャップ付き内視鏡本体１０に防汚膜２０を装着する方法を説明する図である。
【図１０】（Ａ）及び（Ｂ）は、防汚膜付き内視鏡本体１０に装着された保護キャップ３０を防汚膜２０の外周に取り付ける手順を説明する図である。
【図１１】保護キャップ３０が防汚膜２０の外周に取り付けられた内視鏡１の断面図である。
【発明を実施するための形態】
【０００９】
以下、本開示の実施形態について説明する。なお、本明細書に添付した図面は、いずれも模式図又は概念図であり、理解しやすさ等を考慮して、各部の形状、縮尺、縦横の寸法比等を、実物から変更又は誇張している。また、図面においては、部材の断面を示すハッチングを適宜に省略する。
【００１０】
本明細書等において、形状、幾何学的条件、これらの程度を特定する用語、例えば、「直交」、「方向」等の用語については、その用語の厳密な意味に加えて、ほぼ直交等とみなせる程度の範囲、概ねその方向とみなせる範囲を含む。
本明細書等においては、内視鏡１のレンズ１２の光軸方向をＯＡ方向とする（図２参照）。ＯＡ方向においては、先端（レンズ１２）方向をＯＡ１方向とし、ＯＡ１方向と反対方向をＯＡ２方向とする。なお、本明細書においては、「〜方向」を適宜に「〜側」ともいう。
【００１１】
図１は、本実施形態の内視鏡１の外観を示す斜視図である。図２は、内視鏡１の分解斜視図である。
図１及び図２に示すように、本実施形態の内視鏡１は、内視鏡本体１０と、防汚膜２０と、保護キャップ３０と、を備える。
内視鏡本体１０は、図２に示すように、鏡筒１１の先端にレンズ１２が設けられた内視鏡（例えば、硬性鏡、軟性鏡等）である。鏡筒１１の外径は、例えば、２．８〜１５ｍｍ程度である。本実施形態の「内視鏡本体１０」は、後述する防汚膜２０及び保護キャップ３０を備えていない一般的な内視鏡を指している。本実施形態では、内視鏡本体１０に防汚膜２０及び保護キャップ３０を設けた形態を「内視鏡１」として説明する。
【００１２】
防汚膜２０は、体内において、内視鏡本体１０のレンズ１２が水蒸気により曇ったり、レンズ１２に血液等が付着したりすることを抑制する部材である。防汚膜２０は、内視鏡本体１０のレンズ１２の表面に装着される。防汚膜２０は、後述するように、防汚膜の多面付け体ＭＦに形成された１つの防汚膜２０に対して、内視鏡本体１０の先端を突き刺すように押し込むことにより、内視鏡本体１０の先端（レンズ１２）に装着される。防汚膜２０の製造方法、装着方法等については、後述する。
【００１３】
保護キャップ３０は、内視鏡本体１０に装着された防汚膜２０と被写体（例えば、体内組織、臓器等）との接触を抑制したり、防汚膜２０の外れを抑制したりするための筒状の部材である。保護キャップ３０は、内視鏡本体１０のレンズ１２の表面に装着される。なお、図２は、内視鏡１を分解した場合の仮想的な構成を示した図であり、防汚膜２０及び保護キャップ３０の取り付け順を示していない。後述するように、内視鏡本体１０には、先に保護キャップ３０が装着され、その後に防汚膜２０が装着される。保護キャップ３０の構成、内視鏡本体１０への取り付け方法については、後述する。
【００１４】
次に、防汚膜２０の構成について説明する。
まず、防汚膜２０の多面付け体ＭＦ（後述）の前段階の形態となる網目構造体の多面付け体ＭＳについて説明する。
図３（Ａ）は、網目構造体の多面付け体ＭＳを示す平面図である。図３（Ｂ）は、図３（Ａ）のａ−ａ線断面図である。図３（Ａ）において、Ｘ−Ｙ方向は、それぞれ行（Ｘ）方向、列（Ｙ）方向を示している。
【００１５】
網目構造体の多面付け体ＭＳは、複数の網目構造体２２を基材２１の面方向に多面付けしたものである。本実施形態では、網目構造シート２２Ｓ（後述）において、基材２１の円形穴２１ｈにより区画される範囲を１つの網目構造体２２として説明する。後述するように、１つの網目構造体２２に油が含侵されることにより、１つの防汚膜２０となる。
【００１６】
図３（Ｂ）に示すように、網目構造体の多面付け体ＭＳは、基材２１と、網目構造シート２２Ｓと、を備える。
基材２１は、網目構造体の多面付け体ＭＳのベースとなる板状の部材である。網目構造シート２２Ｓは、基材２１の一方の面（以下、「第１面２１ａ」ともいう）に形成されている。基材２１には、１６個の円形穴２１ｈが４行４列に格子状に配列されている。１つの円形穴２１ｈの大きさは、１つの網目構造体２２（後述）の大きさと同じである。
【００１７】
図３（Ａ）に示す円形穴２１ｈの直径Ｄ１は、内視鏡本体１０の直径Ｄ２を１．０とした場合、１．０〜５．０倍程度とすることが望ましい。円形穴２１ｈの直径Ｄ１が１．０倍に満たないと、内視鏡本体１０の先端から網目構造体２２が外れやすくなる。また、円形穴２１ｈの直径Ｄ１が５．０倍を超えると、円形穴２１ｈの部分に形成される網目構造シート２２Ｓが脆くなるため、内視鏡本体１０の先端に網目構造体２２を装着することが難しくなる。
基材２１は、例えば、ポリエチレンテレフタレート（ＰＥＴ）、ポリエチレン（ＰＥ）等のフィルム材により構成される。基材２１の厚みＴ１は、例えば、１０〜８００μｍ程度である。
【００１８】
網目構造シート２２Ｓは、複数のナノファイバーが不規則に絡み合った構造を有するナノファイバーシート（ナノファイバーの不織布）である。ナノファイバーとは、直径１〜１００ｎｍで、長さが直径の１００倍以上となる繊維状の物質をいう。網目構造シート２２Ｓは、基材２１の第１面２１ａにおいて、すべての円形穴２１ｈを覆うようにほぼ全面に形成される。網目構造シート２２Ｓにおいて、円形穴２１ｈにより区画された範囲が１つの網目構造体２２となる。網目構造シート２２Ｓにおいて、円形穴２１ｈ以外の部分は、網目構造体２２として使用されない部分である。図３（Ａ）に示すように、網目構造シート２２Ｓには、１６個の網目構造体２２が４行４列に格子状に配列されている。網目構造シート２２Ｓを構成する複数のナノファイバーの表面には、含侵される油を留める保持部Ｓ（後述）が形成されている。
【００１９】
次に、網目構造体の多面付け体ＭＳの製造方法について説明する。
図４は、網目構造体の多面付け体ＭＳの製造方法を説明する図である。
図５（Ａ）は、油Ｌが含侵される前のナノファイバーＦの表面を模式的に示した断面図である。図５（Ｂ）は、油Ｌが含侵されたナノファイバーＦの表面を模式的に示した断面図である。
【００２０】
本実施形態において、網目構造体の多面付け体ＭＳは、エレクトロスピニング法により製造される。
図４に示すように、エレクトロスピニング法による網目構造体の多面付け体ＭＳの製造には、基材２１、注射器１００、電源部２００等が用いられる。
基材２１は、注射器１００と対向するように設置される。基材２１と注射器１００との間隔は、例えば、２００ｍｍ程度である。基材２１は、第１面２１ａとは反対側の第２面２１ｂ側に、電極板２３が設けられている。電極板２３は、アース接地されている。電極板２３としては、コスト、変形しやすさ等の観点から、アルミ箔が適しているが、アルミ箔以外であってもよい。
【００２１】
注射器１００は、内部に充填された高分子溶液を電界中に放出する器具である。注射器１００は、高分子溶液を放出するノズル１１０が、基材２１の法線方向と一致するように設置されている。注射器１００のノズル１１０は、電源部２００（後述）の正極２１０と電気的に接続されている。注射器１００のシリンダ部１２０には、シリカ粒子が分散された高分子溶液が充填されている。
【００２２】
高分子溶液としては、例えば、ＰＶＤＦ−ＨＦＰ共重合体、ＰＶＤＦ、ＰＶＢ等を用いることができる。このような材料を用いることにより、親油性のナノファイバーからなる網目構造シート２２Ｓを作製できる。「親油性」とは、物質が油等に濡れやすい又は溶けやすい性質であることをいう。親油性のナノファイバーで網目構造シート２２Ｓを作製することにより、網目構造体２２に油がより含侵しやすくなる。そのため、網目構造体２２に油を含侵させた防汚膜２０の撥水性をより高めることができる。
【００２３】
高分子溶液に添加するシリカ粒子の平均粒径は、例えば、５〜３００ｎｍ程度とすることが望ましい。また、シリカ粒子の添加量は、高分子溶液に対して、例えば、０．０１〜１０重量％が好ましく、０．１〜５重量％がより好ましい。シリカ粒子は、高分子溶液に溶け込まないため、ナノファイバーの表面に不規則に突出する。すなわち、高分子溶液にシリカ粒子を添加することにより、ナノファイバーの表面に不規則な凸部を形成できる。この凸部は、ナノファイバーの表面において含侵された油を留める保持部Ｓとなる。ナノファイバーの表面に形成される保持部Ｓについては、後述する。
【００２４】
なお、図４では、網目構造シート２２Ｓの形成面（第１面２１ａ）が水平となるように基材２１を設置し、注射器１００側から見て下方の基材２１に向けてナノファイバーが放出されるように各部を構成した例を示している。これに限らず、網目構造シート２２Ｓの形成面が垂直となるように基材２１を設置すると共に、ノズル１１０が水平方向となるように設置した注射器１００から基材２１に向けてナノファイバーが放出されるように各部を構成してもよい。
【００２５】
電源部２００は、２０ｋＶ以上の高電圧を発生する電源装置である。電源部２００の正極２１０は、注射器１００のノズル１１０と電気的に接続されている。電源部２００の負極２２０は、アース接地されている。
電源部２００から注射器１００のノズル１１０に高電圧を印加し、シリンダ部１２０に充填された高分子溶液（シリカ粒子を含む）をノズル１１０から押し出すと、ノズル１１０と基材２１（電極板２３）との間に形成される電界Ｅに沿って高分子溶液が放出される。ノズル１１０から放出された高分子溶液は、電界Ｅに沿って飛散する間に乾燥、硬化し、ナノファイバーとして基材２１の第１面２１ａに付着する。これにより、基材２１の第１面２１ａに、複数のナノファイバーが不規則に絡み合ったウェブ状の網目構造シート２２Ｓが形成される。
【００２６】
網目構造シート２２Ｓを構成する各ナノファイバーＦには、図５（Ａ）に示すように、表面にシリカ粒子からなる保持部Ｓが形成される。本実施形態の保持部Ｓは、ナノファイバーＦの表面から突出した複数の凸状部により構成される。図５（Ａ）及び（Ｂ）では、ナノファイバーＦの表面に形成された保持部Ｓの形状、配置を模式的に示している。上述したエレクトロスピニング法により作製されたナノファイバーＦにおいて、保持部Ｓは、シリカ粒子の結合状態により形状や大きさは様々である。また、保持部Ｓは、ナノファイバーＦの表面において、不規則に分布している。また、保持部Ｓは、ナノファイバーＦの表面のみならず、複数のナノファイバーＦが絡み合ったり、交差したりしている部分にも形成される。
【００２７】
次に、防汚膜の多面付け体ＭＦについて説明する。
図６（Ａ）は、防汚膜の多面付け体ＭＦを示す平面図である。図６（Ｂ）は、図６（Ａ）のｂ−ｂ線断面図である。図６（Ａ）において、Ｘ−Ｙ方向は、それぞれ行（Ｘ）方向、列（Ｙ）方向を示している。
防汚膜の多面付け体ＭＦは、網目構造体の多面付け体ＭＳに形成される各網目構造体２２に油を含侵させることにより作製される。防汚膜の多面付け体ＭＦにおいて、網目構造体２２に含侵させる油は、内視鏡１を医療分野に使用するのであれば、ＦＤＡ（アメリカ食品医薬品局）で認可された油であって、体内に存在する脂肪性の物質（例えば、脂肪酸、中性脂肪、コレステロール、リン脂質等を主成分とする）よりも表面張力が低いものを用いることが望ましい。内視鏡１を医療分野に使用する場合に適した油としては、例えば、オレイン酸、オリーブオイル、シリコーンオイル等が挙げられる。また、内視鏡１を産業分野に使用する場合に適した油としては、例えば、シリコーンオイル等が挙げられる。なお、網目構造シート２２Ｓに含侵させる油の屈折率と網目構造シート２２Ｓを構成するナノファイバーの屈折率は、同じ又は近い屈折率とすることが望ましい。
【００２８】
上述した油を、例えば、ピペットに一定量だけ吸い取り、網目構造体２２に滴下することにより、網目構造体２２に油を含侵させることができる。網目構造体２２に油を含侵させることにより、防汚膜２０の撥水性が高くなるため、体内の水蒸気、血液等が防汚膜２０へ付着することを抑制できる。また、防汚膜２０に含侵された油は、体内に存在する脂肪性の物質よりも表面張力が低いため、これらの脂肪性の物質と短時間では溶け合うことがない。そのため、体内の脂肪性の物質が防汚膜２０へ付着することを抑制できる。
【００２９】
網目構造体２２に含侵させる油の量は、油の種類により異なるが、例えば、０．５〜１０００μｇ程度である。なお、防汚膜の多面付け体ＭＦにおいて、防汚膜２０の部分には、含侵された油の一部が表面に露出する。そのため、取り扱いを容易にする観点から、防汚膜の多面付け体ＭＦには、表裏面にＰＥＴフィルム（不図示）等を貼り付けることが望ましい。
【００３０】
また、網目構造体２２に油を含侵させることにより、網目構造体２２を構成するナノファイバーと油との間の屈折率の差が小さくなるため、図６（Ａ）に示すように、防汚膜２０（油を含侵させた網目構造体２２）は、透明又はほぼ透明な状態となる。従って、防汚膜２０を内視鏡本体１０のレンズ１２に装着した場合に、術野をより鮮明に映し出すことができる。
【００３１】
なお、図６（Ａ）では、網目構造体２２において、油の含侵していない部分と、油の含侵している防汚膜２０の部分とを区別するため、油の含侵していない部分を密なドットで示し、油の含侵している防汚膜２０の部分を粗いドットで示している。図１、図２及び図１０についても同様である。防汚膜の多面付け体ＭＦにおいて、基材２１に設けられた電極板２３（図４参照）は、油の含侵前又は含侵後に取り除かれる。なお、防汚膜の多面付け体ＭＦに形成された各防汚膜２０は、図６（Ａ）に示す領域Ｅ１の範囲で切断することにより個別化することもできる。
【００３２】
防汚膜の多面付け体ＭＦに形成された防汚膜２０は、図５（Ｂ）に示すように、ナノファイバーＦの表面に形成された保持部Ｓにより、含侵された油Ｌを留めることができる。そのため、防汚膜２０において、水分、血液、脂肪性の物質等の付着をより長い時間に亘って抑制できる。なお、図５（Ｂ）では、ナノファイバーＦの表面に形成された保持部Ｓに油Ｌが留められた状態を模式的に示している。前述したように、ナノファイバーＦの表面において、保持部Ｓの形状や大きさは様々であるため、保持部Ｓにおいても油Ｌは様々な形態で留められる。例えば、ナノファイバーＦの表面において、油Ｌが塊状に留まる形態もある。
防汚膜の多面付け体ＭＦに形成された防汚膜２０の内視鏡本体１０への取り付け方法については、後述する。
【００３３】
次に、保護キャップ３０の構成について説明する。
図７（Ａ）は、保護キャップ３０の外観を示す斜視図である。図７（Ｂ）は、保護キャップ３０の側面図である。図７（Ｃ）は、図７（Ｂ）のｃ−ｃ線断面図である。本実施形態では、保護キャップ３０を内視鏡本体１０に装着したときに、内視鏡本体１０の光軸方向ＯＡと一致する保護キャップ３０の軸方向を「軸方向ＯＡ」という。軸方向ＯＡにおいて、内視鏡本体１０の先端（レンズ１２）方向をＯＡ１方向（側）とし、ＯＡ１方向と反対方向をＯＡ２方向（側）とする。
【００３４】
図７（Ａ）に示すように、保護キャップ３０は、全体が筒状に形成されている。保護キャップ３０は、第１筒部３１、第２筒部３２、折り返し部３３及びスリット３４を備える。
第１筒部３１は、保護キャップ３０を内視鏡本体１０（図１参照）に装着した際に、ＯＡ２側に位置する部分である。第１筒部３１のＯＡ１側は、折り返し部３３（後述）とつながっている。また、第１筒部３１のＯＡ１側には、スリット３４（後述）のＯＡ２側端部が形成されている。
【００３５】
第２筒部３２は、保護キャップ３０を内視鏡本体１０（図１参照）に装着した際に、ＯＡ１側に位置する部分である。第２筒部３２のＯＡ２側は、折り返し部３３とつながっている。第２筒部３２は、先端保護部３５（後述）を除いて、第１筒部３１と同じ内径、厚みとなるように作製されている。
【００３６】
第１筒部３１及び第２筒部３２の内径Ｄ３（図７（Ｃ）参照）は、保護キャップ３０が装着される内視鏡本体１０の外径と同じか、僅かに小さい寸法に設定される。第１筒部３１及び第２筒部３２の厚みＴ２は、保護キャップ３０を装着した内視鏡１の外径増を抑える観点から、出来る限り薄くすることが望ましい。厚みＴ２は、実用的には、例えば、５０μｍ以下とすることが望ましい。
【００３７】
スリット（被拡張部）３４は、軸方向ＯＡに沿って設けられた細長い開口である。スリット３４は、保護キャップ３０の厚み方向に貫通しており、図７（Ｃ）に示すように、第２筒部３２のＯＡ１側から、折り返し部３３を経て第１筒部３１のＯＡ１側まで延在している。
第２筒部３２にスリット３４を設けることにより、後述するように、第２筒部３２を、折り返し部３３の位置から第１筒部３１の側に容易に折り返すことができる。また、第１筒部３１の側に折り返した第２筒部３２を防汚膜２０の側に容易に引き出すことができる。スリット３４の幅Ｗは、例えば、０．５〜１０００μｍ程度である。
【００３８】
第２筒部３２には、ＯＡ１側の端部に先端保護部３５が設けられている。先端保護部３５は、第２筒部３２の内径側に向かって略凸形となる部分であり、第２筒部３２の周方向に沿って環状に設けられている。先端保護部３５は、第２筒部３２を折り返すと外径側に向かって略凸形となる（図１０（Ａ）参照）。そのため、先端保護部３５は、折り返した第２筒部３２を防汚膜２０の側に引き出す際に、指や器具を引っ掛ける部分となる。
【００３９】
また、内視鏡本体１０の先端に防汚膜２０を装着した後、折り返した第２筒部３２を防汚膜２０の側に引き出して、先端保護部３５を防汚膜２０に被せると、防汚膜２０の外周は、先端保護部３５の内周面３５ａ（図７（Ｃ）参照）により覆われる。そのため、保護キャップ３０の先端保護部３５を防汚膜２０に被せることにより、レンズ１２の表面に装着された防汚膜２０を保護、固定できる。
【００４０】
折り返し部３３は、第１筒部３１と第２筒部３２との間に位置しており、保護キャップ３０の長手方向の略中間に設けられている。折り返し部３３は、第２筒部３２を折り返したり、元の位置まで引き出したりする動作を容易にするために設けられている。折り返し部３３は、図７（Ｂ）及び（Ｃ）に示すように、第１筒部３１及び第２筒部３２よりも厚みの薄い部分であり、図７（Ａ）に示すように、保護キャップ３０の周方向に沿って環状に設けられている。折り返し部３３の厚みは、上述した第１筒部３１及び第２筒部３２の厚みに応じて適宜に設定される。例えば、第１筒部３１及び第２筒部３２の厚みを５０μｍとすると、折り返し部３３の厚みは、２０μｍ程度となる。
【００４１】
保護キャップ３０の全長は、例えば、１〜１００ｍｍ程度である。保護キャップ３０は、例えば、シリコンゴム、ポリ塩化ビニル、ポリエチレン、ポリプロピレン、天然ゴム、ポリウレタン等により構成される。内視鏡１を医療分野で使用する場合、保護キャップ３０は、人体に対して安全であることが望ましい。内視鏡１を医療分野で使用する場合に適した保護キャップ３０の材料としては、例えば、シリコンゴム等が挙げられる。また、内視鏡１を産業分野で使用する場合に適した保護キャップ３０の材料としては、例えば、ポリ塩化ビニル、ポリエチレン、ポリプロピレン、天然ゴム、ポリウレタン等が挙げられる。
【００４２】
次に、保護キャップ３０を内視鏡本体１０に装着する手順について説明する。
図８（Ａ）〜（Ｃ）は、保護キャップ３０を内視鏡本体１０に装着する手順を説明する図である。
保護キャップ３０を内視鏡本体１０に装着する場合、まず、図８（Ａ）に示すように、保護キャップ３０の第２筒部３２を折り返し部３３の位置からＯＡ２側に折り返し、第１筒部３１の外側に被せる。
次に、図８（Ｂ）に示すように、折り返した保護キャップ３０を、内視鏡本体１０の先端側（ＯＡ１側）から覆い被せる。折り返した保護キャップ３０は、折り返し部３３とは反対側（ＯＡ２側）から内視鏡本体１０の先端側に覆い被せる。
【００４３】
折り返した保護キャップ３０は、図８（Ｃ）に示すように、内視鏡本体１０のＯＡ１側の先端から、長さＬ１の位置まで覆い被せる。長さＬ１は、図７（Ｃ）に示すように、保護キャップ３０において、第１筒部３１のＯＡ２側の端部から、第２筒部３２の先端保護部３５（内周面３５ａ）までの長さである。折り返した保護キャップ３０を、内視鏡本体１０のＯＡ１側の先端から長さＬ１の位置まで覆い被せると、後述するように、折り返した保護キャップ３０の第２筒部３２を、防汚膜２０の側に引き出したときに、先端保護部３５を防汚膜２０の外周を覆うように被せることができる。
【００４４】
次に、保護キャップ３０が装着された内視鏡本体１０に防汚膜２０を装着する方法について説明する。以下、保護キャップ３０が装着された内視鏡本体１０を、適宜に「保護キャップ付き内視鏡本体１０」ともいう。
図９（Ａ）〜（Ｃ）は、保護キャップ付き内視鏡本体１０に防汚膜２０を装着する方法を説明する図である。図９（Ａ）〜（Ｃ）では、防汚膜の多面付け体ＭＦに形成された複数の防汚膜２０のうちの１つを図示している。保護キャップ付き内視鏡本体１０に防汚膜２０を装着する場合、防汚膜の多面付け体ＭＦのまま作業を行ってもよいし、図６（Ａ）を参照して説明したように、防汚膜２０を個別化してから作業を行ってもよい。
【００４５】
まず、図９（Ａ）に示すように、保護キャップ付き内視鏡本体１０の先端を、防汚膜２０の裏面側（基材２１側）から防汚膜２０に向けて近付ける。このとき、内視鏡本体１０の先端に、防汚膜２０が均等に装着されるように、保護キャップ付き内視鏡本体１０を、防汚膜の多面付け体ＭＦの法線方向とほぼ一致する方向から近付けることが望ましい。
【００４６】
次に、保護キャップ付き内視鏡本体１０の先端を防汚膜２０に接触させ、図９（Ｂ）に示すように、保護キャップ付き内視鏡本体１０の先端を、防汚膜２０を突き刺すように押し込む。これにより、防汚膜２０は、保護キャップ付き内視鏡本体１０の押し込み方向に伸びた状態となる。この状態から、保護キャップ付き内視鏡本体１０の先端を更に押し込むと、図９（Ｃ）に示すように、防汚膜２０は、内視鏡本体１０の先端と接触している部分２０ａの周囲から破れ、押し込み方向に伸びた部分２０ｂが分離される。以上の手順により、防汚膜２０ａ（２０）を保護キャップ付き内視鏡本体１０の先端に装着できる。以下、防汚膜２０が装着された保護キャップ付き内視鏡本体１０を、適宜に「防汚膜付き内視鏡本体１０」ともいう。
【００４７】
なお、保護キャップ付き内視鏡本体１０の先端を、防汚膜２０を突き刺すように強く押し込んでも、防汚膜２０が、内視鏡本体１０の先端と接触している部分２０ａの周囲から破れないこともある。その場合は、内視鏡本体１０の先端と接触している部分２０ａの防汚膜２０の周囲から、押し込み方向に伸びた部分２０ｂの防汚膜２０を指又は器具で取り除けばよい。
【００４８】
次に、防汚膜付き内視鏡本体１０に装着された保護キャップ３０を防汚膜２０の外周に取り付ける方法について説明する。
図１０（Ａ）及び（Ｂ）は、防汚膜付き内視鏡本体１０に装着された保護キャップ３０を防汚膜２０の外周に取り付ける手順を説明する図である。図１１は、保護キャップ３０が防汚膜２０の外周に取り付けられた内視鏡１の断面図である。図１１は、先に説明した図７（Ｃ）に対応する断面を示している。図１１では、内視鏡本体１０の内部構造の図示を省略している。
【００４９】
図１０（Ａ）に示すように、防汚膜付き内視鏡本体１０に装着された保護キャップ３０において、折り返した第２筒部３２を防汚膜２０の方向（ＯＡ１方向）に引き出す。このとき、第２筒部３２に設けられた先端保護部３５に指や器具を引っ掛けることにより、第２筒部３２に力を掛けやすくなるため、第２筒部３２の引き出しを速やかに行うことができる。
【００５０】
また、折り返した第２筒部３２を防汚膜２０の方向に引き出した際に、第２筒部３２がスリット３４の部分から広がるため、第２筒部３２の外径が一時的に大きくなる。これにより、折り返した第２筒部３２を防汚膜２０の方向に引き出す際の第１筒部３１と第２筒部３２との間の摩擦抵抗が小さくなるため、折り返した第２筒部３２をより少ない力で引き出すことができる。更に、折り返した第２筒部３２を防汚膜２０の方向に引き出すと、第２筒部３２は、弾性力により元の外径に戻るため、第２筒部３２の先端保護部３５による防汚膜２０の保護、固定に影響を与えることがない。
【００５１】
図１０（Ｂ）に示すように、折り返した第２筒部３２を引き出して、先端保護部３５の凸部分を内径側に向けることにより、保護キャップ３０が装着された防汚膜付きの内視鏡１が完成する。内視鏡１は、図１１に示すように、保護キャップ３０において、筒状の先端部となる先端保護部３５が、内視鏡本体１０の先端（レンズ１２）装着された防汚膜２０よりも被写体側に突出するため、防汚膜２０の表面が、被写体となる体内組織、臓器等と接触しにくくなる。また、先端保護部３５（内周面３５ａ）により防汚膜２０の位置が固定されるため、作業中に防汚膜２０の位置がずれたり、レンズ１２から外れたりする不具合を抑制できる。
【００５２】
上述した実施形態の内視鏡１、内視鏡１に設けられた防汚膜２０、保護キャップ３０によれば、例えば、以下のような効果を奏する。
実施形態の内視鏡１は、レンズ１２の表面に、油を含侵させた網目構造シート２２Ｓ（ナノファイバーシート）からなる防汚膜２０が装着されている。内視鏡１に装着された防汚膜２０は、撥水性が高いため、体内の水蒸気、血液等が防汚膜２０に付着しても、そのほとんどを表面から除去できる。したがって、本実施形態の内視鏡１によれば、体内の水蒸気、血液等の防汚膜２０への付着を、より簡単な構成で抑制できる。また、防汚膜２０に含侵された油は、体内に存在する脂肪性の物質と短時間では溶け合わないため、体内の脂肪性の物質が防汚膜２０へ付着することを抑制できる。そのため、実施形態の内視鏡１は、良好な視認性をより長時間に亘って維持できる。
【００５３】
実施形態の防汚膜２０となる網目構造体２２（網目構造シート２２Ｓ）は、親油性のナノファイバーにより形成される。これによれば、網目構造体２２に油がより含侵しやすくなるため、網目構造体２２に油を含侵させた防汚膜２０の撥水性をより高めることができる。
【００５４】
実施形態の防汚膜２０において、網目構造シート２２Ｓを構成するナノファイバーは、含侵された油を留める保持部Ｓを有するため、防汚膜２０に対する水分、血液、脂肪性の物質等の付着をより長い時間に亘って抑制できる。また、保持部Ｓは、ナノファイバーの表面から突出した複数の凸状部により構成される。これによれば、油がナノファイバーの表面に沿って移動しにくくなるため、含侵された油をより長く留めることができる。
【００５５】
実施形態において、網目構造体の多面付け体ＭＳは、エレクトロスピニング法により製造される。エレクトロスピニング法は、材料の選択肢が広いだけでなく、繊維の形態（直径、孔径、太さ等）を簡単に制御できるため、防汚膜２０の設計仕様に合わせて、所望の材料、形態のナノファイバーを製造できる。
また、エレクトロスピニング法において、ナノファイバーの原料となる高分子溶液にシリカ粒子を添加することにより、ナノファイバーの表面に保持部Ｓを形成できる。そのため、実施形態における網目構造体の多面付け体ＭＳの製造方法によれば、含侵された油をより長く留めることができるナノファイバーを、より効率良く製造できる。
【００５６】
実施形態の内視鏡１において、保護キャップ３０を防汚膜２０に被せると、筒状の先端部となる先端保護部３５は、防汚膜２０よりも被写体側に突出する位置に装着される。これによれば、保護キャップ３０を備えた内視鏡１において、防汚膜２０の表面は、被写体となる体内組織、臓器等と物理的に接触しにくくなるため、防汚膜２０を体内組織、臓器等から保護できる。
【００５７】
保護キャップ３０の先端保護部３５は、第２筒部３２を折り返すと外径側に向かって凸形となる。これによれば、折り返した第２筒部３２を防汚膜２０の側に引き出す際に、先端保護部３５に指や器具を引っ掛けることにより、第２筒部３２に力を掛けやすくなるため、第２筒部３２の引き出しを速やかに行うことができる。
【００５８】
保護キャップ３０において、折り返した第２筒部３２を防汚膜２０の方向に引き出すと、第２筒部３２がスリット（被拡張部）３４の部分から広がるため、第２筒部３２の外径が一時的に大きくなる。これにより、折り返した第２筒部３２を防汚膜２０の方向に引き出す際の第１筒部３１と第２筒部３２との間の摩擦抵抗が小さくなるため、折り返した第２筒部３２をより少ない力で引き出すことができる。また、保護キャップ３０において、折り返した第２筒部３２を防汚膜２０の方向に引き出すと、第２筒部３２は、弾性力により元の外径に戻るため、第２筒部３２の先端保護部３５による防汚膜２０の保護、固定に影響を与えることがない。
【００５９】
保護キャップ３０において、折り返した第２筒部３２を防汚膜２０の側に引き出して、先端保護部３５を防汚膜２０に被せると、防汚膜２０の外周は、先端保護部３５の内周面３５ａにより覆われる。そのため、保護キャップ３０の先端保護部３５を防汚膜２０に被せることにより、レンズ１２の表面に装着された防汚膜２０を固定できる。これにより、作業中に防汚膜２０の位置がずれたり、レンズ１２から外れたりする不具合を抑制できる。
【００６０】
実施形態の保護キャップ３０は、例えば、５０μｍ（又はこれ以下の薄さ）程度の厚みに形成される。先に説明した従来の洗浄装置（例えば、特許文献１〜３）では、内視鏡に放水用のノズル及びチューブを取り付ける必要があるため、内視鏡の外径が太くなる。内視鏡の外径が太くなると、患者の体に開口する穴の径も大きくなるため、内視鏡１の操作性が低下すると共に、レンズ１２の下方（重力方向）に水が滴るという現象も発生して更なる視認性の低下を引き起こす。これに対して、実施形態の保護キャップ３０は、内視鏡１の外径増が最小限となるため、患者の体に開口する穴の径を大きくする必要がない。これにより、検査や手術時における内視鏡１の操作性が向上すると共に、レンズ１２の下方に水が滴る現象が抑制されるため、視認性が向上する。また、視認性が向上することにより、手術時間の短縮が期待できる。
【００６１】
以上、本開示の実施形態について説明したが、本開示は、前述した実施形態に限定されるものではなく、後述する変形形態のように種々の変形や変更が可能であって、それらも本開示の技術的範囲内に含まれる。また、実施形態に記載した効果は、本開示から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００６２】
（変形形態）
防汚膜の多面付け体ＭＦにおいて、防汚膜２０の配列数及び配列パターンは、実施形態のような４行４列に限らず、適宜に設定可能である。例えば、防汚膜の多面付け体ＭＦにおいて、防汚膜２０を４行１列又は１行４列の帯状に形成してもよい。
防汚膜の多面付け体ＭＦにおいて、網目構造シート２２Ｓの側に、基材２１と同じ構成のシート材を重ね合わせ、２枚の基材により網目構造シート２２Ｓを挟み込んだ構成としてもよい。
【００６３】
網目構造体の多面付け体ＭＳにおいて、基材２１に形成する開口は、実施形態のような円形穴２１ｈに限らず、例えば、四角形の穴を形成してもよい。
網目構造シート２２Ｓを構成する複数のナノファイバーは、実施形態のようなナノファイバーの不織布であってもよいし、複数のナノファイバーが規則的に織り込まれたナノファイバーの織布であってもよい。
【００６４】
保護キャップ３０の折り返し部３３は、保護キャップ３０の周方向に沿って環状に設けられていなくてもよく、周方向に沿って部分的に設けられていてもよい。例えば、折り返し部３３を、スリット３４の近傍にのみ設けた構成としてもよい。また、折り返し部３３は内径側が薄くなるように構成してもよいし、内径側及び外径側ともに薄くなるように構成してもよい。更に、折り返し部３３を伸縮性の高い部材で構成してもよい。
【００６５】
保護キャップ３０のスリット３４は、軸方向ＯＡに沿って一つの細長い開口として設けられていなくてもよく、例えば、軸方向ＯＡに沿って部分的に開口が設けられた形態としてもよい。また、保護キャップ３０に設けられる被拡張部は、スリット３４に限らず、例えば、折り返し部３３のように、その部分だけ肉厚を薄くした形態としてもよいし、その部分だけ伸縮性の高い部材で構成してもよい。すなわち、保護キャップ３０に設けられる被拡張部は、開口に限らず、その部分が拡張可能な形態であればよい。
【００６６】
網目構造体の多面付け体ＭＳは、実施形態のようなエレクトロスピニング法に限らず、例えば、溶融した樹脂を複数のノズルから吐出させるメルトブロー法のほか、天然物から抽出する等の方法により製造してもよい。
内視鏡１（内視鏡本体１０）は、鏡筒が金属等により構成された硬性内視鏡（硬性鏡）であってもよいし、鏡筒が樹脂等により構成された軟性内視鏡（軟性鏡）であってもよい。また、内視鏡１は、硬性鏡、軟性鏡以外の構造を有していてもよい。
また、内視鏡１は、実施形態のような医療分野に限らず、例えば、目視しにくい構造物の内部を観察するための産業分野の内視鏡にも適用できる。
【符号の説明】
【００６７】
１：内視鏡、１０：内視鏡本体、１２：レンズ、２０：防汚膜、２１：基材、２１ｈ：円形穴、２２：網目構造体、２２Ｓ：網目構造シート、２３：電極板、３０：保護キャップ、３１：第１筒部、３２：第２筒部、３３：折り返し部、３４：スリット、３５：先端保護部、１００：注射器、２００：電源部、Ｓ：保持部、ＭＳ：網目構造体の多面付け体、ＭＦ：防汚膜の多面付け体、Ｆ：ナノファイバー、Ｌ：油
【図１】
2020141810.tif 000003
【図２】
2020141810.tif 000004
【図３】
2020141810.tif 000005
【図４】
2020141810.tif 000006
【図５】
2020141810.tif 000007
【図６】
2020141810.tif 000008
【図７】
2020141810.tif 000009
【図８】
2020141810.tif 000010
【図９】
2020141810.tif 000011
【図１０】
2020141810.tif 000012
【図１１】
2020141810.tif 000013